【手続補正書】
【提出日】平成26年9月25日(2014.9.25)
【手続補正１】
【補正対象書類名】特許請求の範囲
【補正対象項目名】全文
【補正方法】変更
【補正の内容】
【特許請求の範囲】
【請求項１】
無線通信システムにおいて下りリンク伝送のチャネル状態情報（ＣＳＩ）を上りリンクを通じて伝送する方法であって、前記方法は、
第１のサブフレームでジョイントコーディングされたランク指示子（ＲＩ）及び第１の広帯域（ＷＢ）プリコーディング行列指示子（ＰＭＩ）を伝送することと、
第２のサブフレームで広帯域チャネル品質指示子（ＷＢ  ＣＱＩ）及び第２のＷＢ  ＰＭＩを伝送することと
を含み、
前記第１のＷＢ  ＰＭＩ及び前記第２のＷＢ  ＰＭＩの組み合わせにより、ユーザ機器（ＵＥ）の好むプリコーディング行列が指示され、
前記ジョイントコーディングされたＲＩ及び前記第１のＷＢ  ＰＭＩのうちの前記第１のＷＢ  ＰＩＭは、前記ジョイントコーディングされたＲＩ及び前記第１のＷＢ  ＰＭＩのＲＩがランク１またはランク２である場合に、プリコーディングコードブックの前記第１のＷＢ  ＰＭＩの１６個のインデックスからの８個のインデックスを有するサブセットの一つのインデックスを指示する、方法。
【請求項２】
前記プリコーディングコードブックにおける前記第１のＷＢ  ＰＭＩの前記サブセットに含まれる前記８個のインデックスは、前記下りリンク伝送に適用されるプリコーディング行列により生成されるビームから重なったビームを除外したインデックスである、請求項１に記載の方法。
【請求項３】
前記ランク１に対する前記プリコーディングコードブックが、以下の表
【表１】
2013543680.tif 000001
によって表される場合（ここで、
【化１】
2013543680.tif 000002
が、
【化２】
2013543680.tif 000003
によって表され、
【化３】
2013543680.tif 000004
が、
【化４】
2013543680.tif 000005
によって表される）、及び、
前記ランク２に対する前記プリコーディングコードブックが、以下の表
【表２】
2013543680.tif 000006
によって表される場合（ここで、
【化５】
2013543680.tif 000007
が、
【化６】
2013543680.tif 000008
によって表され、
【化７】
2013543680.tif 000009
が、
【化８】
2013543680.tif 000010
によって表される）、
前記第１のＷＢ  ＰＭＩは、０，２，４，６，８，１０，１２，または１４のうちのいずれか一つに設定され、
ｉ１の０〜１５は、前記第１のＷＢ  ＰＭＩの１６個のインデックスに対応し、
ｉ２の０〜１５は、前記第２のＷＢ  ＰＭＩの１６個のインデックスに対応する、請求項１に記載の方法。
【請求項４】
前記第２のＷＢ  ＰＭＩは、前記プリコーディングコードブックにおける前記第２のＷＢ  ＰＭＩの１６個のインデックスのうちの一つを指示する、請求項１に記載の方法。
【請求項５】
前記ジョイントコーディングされたＲＩ及び前記第１のＷＢ  ＰＭＩは、前記第１のサブフレームの物理上りリンク制御チャネル（ＰＵＣＣＨ）を通じて伝送され、
前記ＷＢ  ＣＱＩ及び前記第２のＷＢ  ＰＭＩは、前記第２のサブフレームのＰＵＣＣＨを通じて伝送される、請求項１に記載の方法。
【請求項６】
前記ＲＩ、前記第１のＷＢ  ＰＭＩ、前記第２のＷＢ  ＰＭＩ及び前記ＷＢ  ＣＱＩは、下りリンク８伝送（Ｔｘ）アンテナの前記ＣＳＩに含まれる、請求項１に記載の方法。
【請求項７】
前記ジョイントコーディングされたＲＩ及び前記第１のＷＢ  ＰＭＩは、第１の報告周期に従って伝送され、
前記ＷＢ  ＣＱＩ及び前記第２のＷＢ  ＰＭＩは、第２の報告周期に従って伝送される、請求項１に記載の方法。
【請求項８】
無線通信システムにおいて下りリンク伝送のチャネル状態情報（ＣＳＩ）を上りリンクを通じて受信する方法であって、前記方法は、
第１のサブフレームでジョイントコーディングされたランク指示子（ＲＩ）及び第１の広帯域（ＷＢ）プリコーディング行列指示子（ＰＭＩ）を受信することと、
第２のサブフレームで広帯域チャネル品質指示子（ＷＢ  ＣＱＩ）及び第２のＷＢ  ＰＭＩを受信することと
を含み、
前記第１のＷＢ  ＰＭＩ及び前記第２のＷＢ  ＰＭＩの組み合わせにより、ユーザ機器（ＵＥ）の好むプリコーディング行列が指示され、
前記ジョイントコーディングされたＲＩ及び前記第１のＷＢ  ＰＭＩのうちの前記第１のＷＢ  ＰＩＭは、前記ジョイントコーディングされたＲＩ及び前記第１のＷＢ  ＰＭＩのＲＩがランク１またはランク２である場合に、プリコーディングコードブックの前記第１のＷＢ  ＰＭＩの１６個のインデックスからの８個のインデックスを有するサブセットの一つのインデックスを指示する、方法。
【請求項９】
前記プリコーディングコードブックにおける前記第１のＷＢ  ＰＭＩの前記サブセットに含まれる前記８個のインデックスは、前記下りリンク伝送に適用されるプリコーディング行列により生成されるビームから重なったビームを除外したインデックスである、請求項８に記載の方法。
【請求項１０】
前記ランク１に対する前記プリコーディングコードブックが、以下の表
【表３】
2013543680.tif 000011
によって表される場合（ここで、
【化９】
2013543680.tif 000012
が、
【化１０】
2013543680.tif 000013
によって表され、
【化１１】
2013543680.tif 000014
が、
【化１２】
2013543680.tif 000015
によって表される）、及び、
前記ランク２に対する前記プリコーディングコードブックが、以下の表
【表４】
2013543680.tif 000016
によって表される場合（ここで、
【化１３】
2013543680.tif 000017
が、
【化１４】
2013543680.tif 000018
によって表され、
【化１５】
2013543680.tif 000019
が、
【化１６】
2013543680.tif 000020
によって表される）、
前記第１のＷＢ  ＰＭＩは、０，２，４，６，８，１０，１２，または１４のうちのいずれか一つに設定され、
ｉ１の０〜１５は、前記第１のＷＢ  ＰＭＩの１６個のインデックスに対応し、
ｉ２の０〜１５は、前記第２のＷＢ  ＰＭＩの１６個のインデックスに対応する、請求項８に記載の方法。
【請求項１１】
前記第２のＷＢ  ＰＭＩは、前記プリコーディングコードブックにおける前記第２のＷＢ  ＰＭＩの１６個のインデックスのうちの一つを指示する、請求項８に記載の方法。
【請求項１２】
前記ジョイントコーディングされたＲＩ及び前記第１のＷＢ  ＰＭＩは、前記第１のサブフレームの物理上りリンク制御チャネル（ＰＵＣＣＨ）を通じて伝送され、
前記ＷＢ  ＣＱＩ及び前記第２のＷＢ  ＰＭＩは、前記第２のサブフレームのＰＵＣＣＨを通じて伝送される、請求項８に記載の方法。
【請求項１３】
前記ＲＩ、前記第１のＷＢ  ＰＭＩ、前記第２のＷＢ  ＰＭＩ及び前記ＷＢ  ＣＱＩは、下りリンク８伝送（Ｔｘ）アンテナの前記ＣＳＩに含まれる、請求項８に記載の方法。
【請求項１４】
前記ジョイントコーディングされたＲＩ及び前記第１のＷＢ  ＰＭＩは、第１の報告周期に従って伝送され、
前記ＷＢ  ＣＱＩ及び前記第２のＷＢ  ＰＭＩは、第２の報告周期に従って伝送される、請求項８に記載の方法。
【請求項１５】
無線通信システムにおいて下りリンク伝送のチャネル状態情報（ＣＳＩ）を上りリンクを通じて伝送するユーザ機器（ＵＥ）であって、前記ＵＥは、
基地局（ＢＳ）から下りリンク信号を受信する受信モジュールと、
前記ＢＳに上りリンク信号を伝送する伝送モジュールと、
前記受信モジュール及び前記伝送モジュールを含む前記ＵＥを制御するプロセッサと
を備え、
前記プロセッサは、前記伝送モジュールに、第１のサブフレームでジョイントコーディングされたランク指示子（ＲＩ）及び第１の広帯域（ＷＢ）プリコーディング行列指示子（ＰＭＩ）を伝送させ、第２のサブフレームで広帯域チャネル品質指示子（ＷＢ  ＣＱＩ）及び第２のＷＢ  ＰＭＩを伝送させ、
前記第１のＷＢ  ＰＭＩ及び前記第２のＷＢ  ＰＭＩの組み合わせにより、ＵＥの好むプリコーディング行列が指示され、
前記ジョイントコーディングされたＲＩ及び前記第１のＷＢ  ＰＭＩのうちの前記第１のＷＢ  ＰＩＭは、前記ジョイントコーディングされたＲＩ及び前記第１のＷＢ  ＰＭＩのＲＩがランク１またはランク２である場合に、プリコーディングコードブックの前記第１のＷＢ  ＰＭＩの１６個のインデックスからの８個のインデックスを有するサブセットの一つのインデックスを指示する、ＵＥ。
【請求項１６】
無線通信システムにおいて下りリンク伝送のチャネル状態情報（ＣＳＩ）を上りリンクを通じて受信する基地局（ＢＳ）であって、前記ＢＳは、
ユーザ機器（ＵＥ）から上りリンク信号を受信する受信モジュールと、
前記ＵＥに下りリンク信号を伝送する伝送モジュールと、
前記受信モジュール及び前記伝送モジュールを含む前記ＢＳを制御するプロセッサと
を備え、
前記プロセッサは、前記受信モジュールに、第１のサブフレームでジョイントコーディングされたランク指示子（ＲＩ）及び第１の広帯域（ＷＢ）プリコーディング行列指示子（ＰＭＩ）を受信させ、第２のサブフレームで広帯域チャネル品質指示子（ＷＢ  ＣＱＩ）及び第２のＷＢ  ＰＭＩを受信させ、
前記第１のＷＢ  ＰＭＩ及び前記第２のＷＢ  ＰＭＩの組み合わせにより、ＵＥの好むプリコーディング行列が指示され、
前記ジョイントコーディングされたＲＩ及び前記第１のＷＢ  ＰＭＩのうちの前記第１のＷＢ  ＰＩＭは、前記ジョイントコーディングされたＲＩ及び前記第１のＷＢ  ＰＭＩのＲＩがランク１またはランク２である場合に、プリコーディングコードブックの前記第１のＷＢ  ＰＭＩの１６個のインデックスからの８個のインデックスを有するサブセットの一つのインデックスを指示する、ＢＳ。